(57)【要約】【課題】衝撃を緩和することが可能なレンズ鏡筒を提供する。【解決手段】貫通部２１を有し、光学系１１〜１４を保持する筒体２０と、少なくとも一部が前記筒体の外側に備えられた枠体４０，５０とを含むレンズ鏡筒であって、前記枠体は、前記貫通部に対応して備えられた溝部４１，５２を有する。【選択図】図３
2008298915.tif 000002
【特許請求の範囲】
【請求項１】
貫通部を有し、光学系を保持する筒体と、
少なくとも一部が前記筒体の外側に備えられた枠体とを含むレンズ鏡筒であって、
前記枠体は、前記貫通部に対応して備えられた溝部を有することを特徴とするレンズ鏡筒。
【請求項２】
請求項１に記載されたレンズ鏡筒であって、
前記溝部は、前記筒体の周方向に沿って備えられていることを特徴とするレンズ鏡筒。
【請求項３】
請求項２に記載されたレンズ鏡筒であって、
前記筒体の周方向において、前記貫通部が備えられた部分と、前記溝部が備えられた部分とは、少なくとも一部が重なっていることを特徴とするレンズ鏡筒。
【請求項４】
光学系を保持する筒体と、
少なくとも一部が前記筒体の外側に備えられた枠体とを含むレンズ鏡筒であって、
前記枠体は、その全周に亘って溝部が備えられていることを特徴とするレンズ鏡筒。
【請求項５】
請求項１から請求項４までの何れか１項に記載されたレンズ鏡筒であって、
前記溝部は、前記枠体の内側で開口していることを特徴とするレンズ鏡筒。
【請求項６】
請求項１から請求項５までの何れか１項に記載されたレンズ鏡筒であって、
前記溝部は、前記筒体の周方向に沿って、少なくとも２以上の方向に形成されていることを特徴とするレンズ鏡筒。
【請求項７】
請求項６に記載されたレンズ鏡筒であって、
前記溝部は、前記枠体の壁面に直交する第１方向及び前記第１方向に直交する方向に形成されていることを特徴とするレンズ鏡筒。
【請求項８】
請求項１から請求項７までの何れか１項に記載されたレンズ鏡筒であって、
前記溝部は、前記光学系の少なくとも一部よりも被写体側に備えられていることを特徴とするレンズ鏡筒。
【請求項９】
請求項１から請求項８までの何れか１項に記載されたレンズ鏡筒であって、
前記筒体は、前記光学系による像を撮像する撮像装置に対して固定される固定筒であることを特徴とするレンズ鏡筒。
【請求項１０】
請求項１から請求項９までの何れか１項に記載されたレンズ鏡筒であって、
前記筒体は、金属又は合金を含み、
前記枠体は、樹脂材料を含有することを特徴とするレンズ鏡筒。
【請求項１１】
光学系を保持する筒体と、
少なくとも一部が前記筒体の外側に備えられた枠体とを含むレンズ鏡筒であって、
前記枠体は、前記筒体の周方向に沿って備えられた溝部を有し、前記筒体よりもヤング率が小さいことを特徴とするレンズ鏡筒。
【請求項１２】
光学系を保持する筒体と、
少なくとも一部が前記筒体の外側に備えられた枠体とを含むレンズ鏡筒であって、
前記筒体は、金属又は合金を含有し、
前記枠体は、樹脂材料を含むことを特徴とするレンズ鏡筒。
【請求項１３】
請求項１から請求項１２までの何れか１項に記載されたレンズ鏡筒を備えたことを特徴とする光学機器。
【発明の詳細な説明】
【技術分野】
【０００１】
本発明は、レンズ鏡筒及びそれを備えた光学機器に関する。
【背景技術】
【０００２】
一眼レフカメラ等に用いられるレンズ鏡筒として、複数のレンズ群からなる光学系を有するものが従来から知られている（例えば特許文献１参照）。
【０００３】
【特許文献１】特開平９−２１１２８６号公報
【発明の開示】
【発明が解決しようとする課題】
【０００４】
一眼レフカメラ等を持ち運ぶ際にレンズ鏡筒に衝撃が加わると、光学系の良好な性能を維持することができなくなる場合があった。本発明が解決しようとする課題は、衝撃を緩和することが可能なレンズ鏡筒及び光学機器を提供することである。
【課題を解決するための手段】
【０００５】
請求項１の発明は、貫通部（２１）を有し、光学系（１１〜１４）を保持する筒体（２０）と、少なくとも一部が前記筒体の外側に備えられた枠体（４０，５０）とを含むレンズ鏡筒であって、前記枠体は、前記貫通部に対応して備えられた溝部（４１，５２）を有することを特徴とするレンズ鏡筒である。
【０００６】
請求項２の発明は、請求項１に記載されたレンズ鏡筒であって、前記溝部（４１，５２）は、前記筒体（２０）の周方向に沿って備えられていることを特徴とするレンズ鏡筒である。
【０００７】
請求項３の発明は、請求項２に記載されたレンズ鏡筒であって、前記筒体（２０）の周方向において、前記貫通部（２１）が備えられた部分と、前記溝部（４１，５２）が備えられた部分とは、少なくとも一部が重なっていることを特徴とするレンズ鏡筒である。
【０００８】
請求項４の発明は、光学系（１１〜１４）を保持する筒体（２０）と、少なくとも一部が前記筒体の外側に備えられた枠体（４０，５０）とを含むレンズ鏡筒であって、前記枠体は、その全周に亘って溝部（４１，５２）が備えられていることを特徴とするレンズ鏡筒である。
【０００９】
請求項５の発明は、請求項１から請求項４までの何れか１項に記載されたレンズ鏡筒であって、前記溝部（４１，５２）は、前記枠体（４０，５０）の内側で開口していることを特徴とするレンズ鏡筒である。
【００１０】
請求項６の発明は、請求項１から請求項５までの何れか１項に記載されたレンズ鏡筒であって、前記溝部（４１，５２）は、前記筒体（２０）の周方向に沿って、少なくとも２以上の方向に形成されていることを特徴とするレンズ鏡筒である。
【００１１】
請求項７の発明は、請求項６に記載されたレンズ鏡筒であって、前記溝部（４１，５２）は、前記枠体（４０，５０）の壁面に直交する第１方向及び前記第１方向に直交する方向に形成されていることを特徴とするレンズ鏡筒である。
【００１２】
請求項８の発明は、請求項１から請求項７までの何れか１項に記載されたレンズ鏡筒であって、前記溝部（４１，５２）は、前記光学系（１１〜１４）の少なくとも一部よりも被写体側に備えられていることを特徴とするレンズ鏡筒である。
【００１３】
請求項９の発明は、請求項１から請求項８までの何れか１項に記載されたレンズ鏡筒であって、前記筒体（２０）は、前記光学系（１１〜１４）による像を撮像する撮像装置に対して固定される固定筒であることを特徴とするレンズ鏡筒である。
【００１４】
請求項１０の発明は、請求項１から請求項９までの何れか１項に記載されたレンズ鏡筒であって、前記筒体（２０）は、金属又は合金を含み、前記枠体（４０，５０）は、樹脂材料を含有することを特徴とするレンズ鏡筒である。
【００１５】
請求項１１の発明は、光学系（１１〜１４）を保持する筒体（２０）と、少なくとも一部が前記筒体（２０）の外側に備えられた枠体（４０，５０）とを含むレンズ鏡筒であって、前記枠体は、前記筒体の周方向に沿って備えられた溝部（４１，５２）を有し、前記筒体よりもヤング率が小さいことを特徴とするレンズ鏡筒である。
【００１６】
請求項１２の発明は、光学系（１１〜１４）を保持する筒体（２０）と、少なくとも一部が前記筒体の外側に備えられた枠体（４０，５０）とを含むレンズ鏡筒であって、前記筒体は、金属又は合金を含有し、前記枠体は、樹脂材料を含むことを特徴とするレンズ鏡筒である。
【００１７】
請求項１３の発明は、請求項１から請求項１２までの何れか１項に記載されたレンズ鏡筒を備えたことを特徴とする光学機器である。
【発明の効果】
【００１８】
本発明では、レンズ鏡筒に衝撃が加わった際に衝撃を緩和することができる。
【発明を実施するための最良の形態】
【００１９】
以下、本発明の実施形態を図面に基づいて説明する。
【００２０】
図１は本発明の実施形態に係るレンズ鏡筒を示す断面図、図２は本発明の実施形態に係るレンズ鏡筒のカム環の展開図、図３は図１のIII部の拡大断面図、図４は本発明の実施形態に係るレンズ鏡筒のフィルタ枠、固定枠及びカム環の概略展開図である。
【００２１】
本実施形態におけるレンズ鏡筒２は、特に図示しないＣＣＤセンサ等の撮像素子を備えた一眼レフデジタルカメラのカメラボディ１に取り付け可能な交換レンズである。このレンズ鏡筒２は、図１に示すように、レンズ群１１〜１４、固定筒２０、カム環３０、固定枠４０、フィルタ枠５０、アクチュエータ６０、マウント７０、外観筒８０及びフォーカス環９０を備えている。
【００２２】
図１に示すように、レンズ鏡筒２内には、４つのレンズ群１１〜１４から構成される光学系が設けられている。第１のレンズ群１１は、焦点位置に依存しておらず、第１のレンズ群１１を保持している第１のレンズ枠１１１が固定筒２０に固定されている。第４のレンズ群１４も同様に焦点位置に依存しておらず、第４のレンズ群１４を保持している第４のレンズ枠１４１がマウント７０に固定されている。
【００２３】
第２及び第３のレンズ群１２，１３は、光学系の光軸方向に沿って移動可能なフォーカシングレンズ群であり、撮影者がフォーカス環９０を操作すると（回転させると）、第２のレンズ群１２と第３のレンズ群１３が相互に接近したり離遠するようになっている。第２のレンズ群１２は第２のレンズ枠１２１に保持されており、第２のレンズ枠１２１の端部にはカムフォロア１２２が装着されている。このカムフォロア１２２は、カム環３０の第１のカム３１を介して、固定筒２０の第１の挿入孔２２に移動可能に挿入されている。第３のレンズ群１３も同様に、第３のレンズ枠１３１に保持されており、第３のレンズ枠１３１の端部にカムフォロア１３２が装着されている。このカムフォロア１３２は、カム環３０の第２のカム３２を介して、固定筒２０の第２の挿入孔２３に移動可能に挿入されている。
【００２４】
固定筒２０は、金属又は合金から構成されており、図２に示すように、長孔状の第１の挿入孔２２及び第２の挿入孔２３が光軸方向に沿って形成されていると共に、フォーカス駆動ピン６１を貫通させるための貫通孔２１が略中央部に形成されている。この貫通孔２１は、固定筒２０において最も大きな開口となっている。そのため、レンズ鏡筒２の先端部分に衝撃が加わると、レンズ鏡筒２において貫通孔２１の周縁が最も変形し易くなっている。
【００２５】
図１に示すように、固定筒２０の外周側には、モータユニット等から構成されるアクチュエータ６０が設けられている。このアクチュエータ６０の駆動軸にはフォーカス駆動ピン６１が連結されており、このフォーカス駆動ピン６１はレンズ鏡筒２の周方向に沿って移動することが可能になっている。このフォーカス駆動ピン６１の先端は、固定筒２０の貫通孔２１を介して、カム環３０に固定されており、フォーカス駆動ピン６１が周方向に沿って移動することで、カム環３０が回転するようになっている。
【００２６】
カム環３０は、周方向に沿って回転可能に固定筒２０の中に挿入されている。このカム環３０には、第２のレンズ枠１２１のカムフォロア１２２が挿入される第１のカム３１と、第３のレンズ枠１３１のカムフォロア１３２が挿入される第２のカム３２と、が形成されている。第１のカム３１は、図２に示すように、固定筒２０の第１の挿入孔２２に対向するように配置されており、図中において被写体側からカメラボディ１側に向かって下降するように傾斜している。これに対し、第２のカム３２は、固定筒２０の第２の挿入孔２３に対向するように配置されており、被写体側からカメラボディ１側に向かって上昇するように傾斜している。なお、図２において、カム環３０自体は図示しておらず、挿入孔２２，２３との位置関係が理解できるようにカム３１，３２のみを図示している。また、同図では第１及び第２のカム２２，２３をそれぞれ一つずつしか図示していないが、実際には、複数（同図に示す例では３本）の第１の挿入孔２２に対して第１のカム３１がそれぞれ対向するように配置され、複数（同図に示す例では３本）の第２の挿入孔２３に対して第２のカム３２がそれぞれ対向するように配置されている。
【００２７】
アクチュエータ６０の駆動によりフォーカス駆動ピン６１が図２中において上側に向かって移動すると、第２のレンズ枠１２１のカムフォロア１２２が図中右側に移動すると共に、第３のレンズ枠１３１のカムフォロア１３２が図中左側に移動して、第２のレンズ群２と第３のレンズ群１３とが相互に接近する。一方、アクチュエータ６０の駆動によりフォーカス駆動ピン６１が図中下側に移動すると、第２のレンズ枠１２１のカムフォロア１２２が図中左側に移動すると共に、第３のレンズ枠１３１のカムフォロア１３２が図中右側に移動して、第２のレンズ群１２と第３のレンズ群１３とが相互に離遠する。
【００２８】
なお、図１に示すように、カム環３０には、固定筒２０の貫通孔２１を介して、エンコーダ３３が取り付けられており、固定筒２０に対するカム環３０の相対的な回転角を検出することが可能となっている。因みに、外観筒８０に設けられたＡＦ／ＭＦ切替スイッチ８１をＭＦ操作側に切り替えてフォーカス環９０を回転させることで、第２及び第３のレンズ群１２，１３を手動で接近又は離遠させることができるようになっている。
【００２９】
固定筒２０の被写体側先端には、合成樹脂材料から構成される固定枠４０がビス４２により固定されている。図３に示すように、固定筒２０においてカメラボディ１側の端面には、レンズ群１１〜１４の光軸に対して実質的に平行な深さを有する第１の溝４１が形成されている。この第１の溝４１は、レンズ鏡筒２の周方向に沿うように形成されており、図４に示すように、固定枠４０において第１の溝４１が形成されている部分と、固定筒２０において貫通孔２１が形成されている部分とが周方向において重なっている。なお、固定枠４０を構成する材料として合成樹脂材料を例示したが、特にこれに限定されず、固定筒２０を構成する材料よりも小さなヤング率を有する材料で固定枠４０を構成することで衝撃を緩和することができる。
【００３０】
図３に示すように、第１の溝４１は、カメラボディ１側に向かって開口しており、しかも固定枠４０の外周側にはフォーカス環９０が設けられている。そのため、第１の溝４１は、レンズ鏡筒２の外側には露出しておらず内側で開口しており、第１の溝４１を隠蔽するための専用の部材が不要となっている。なお、本実施形態において、「内側」とはレンズ鏡筒において外側に露出していない部分を指す。
【００３１】
固定枠４０の被写体側には、合成樹脂材料から構成されるフィルタ枠５０がビス５３により固定されている。図３に示すように、フィルタ枠５０の被写体側内周面にはネジ部５１が形成されており、所望のフィルタを着脱することが可能となっている。
【００３２】
さらに、フィルタ枠５０の内周面には、レンズ群１１〜１４の光軸に対して実質的に垂直な深さを有する第２の溝５２が形成されており、この第２の溝５２はレンズ群１１〜１４よりも被写体側に位置している。この第２の溝５２は、レンズ鏡筒２の周方向に沿うように形成されており、図４に示すように、フィルタ枠５０において第２の溝５２が形成されている部分と、固定筒２０において貫通孔２１が形成されている部分とが周方向において重なっている。なお、フィルタ枠５０を構成する材料として合成樹脂材料を例示したが、特にこれに限定されず、固定筒２０を構成する材料よりも小さなヤング率を有する材料でフィルタ枠５０を構成することで、衝撃を緩和することができる。
【００３３】
図３に示すように、第２の溝５２はフィルタ枠５０の内周側に向かって開口している。そのため、第２の溝５２は、レンズ鏡筒２の外側に露出しておらず、レンズ鏡筒２の内側で開口しており、第２の溝５２を隠蔽するための専用の部材が不要となっている。因みに、本実施形態では、図１に示すように、ビス４２，５３等を隠蔽するための化粧枠４３により第２の溝５２が完全に隠蔽されている。
【００３４】
図１に示すように、固定筒２０のカメラボディ１側の端部には、ビス７１によりマウント７０が固定されている。このマウント７０には接点７２が設けられており、この接点７２がカメラボディ１側の接点と電気的に接続されることで、カメラボディ１内に設けられたバッテリからレンズ鏡筒２内のアクチュエータ６０に電力が供給されたり、レンズ鏡筒２側及びカメラボディ１側のそれぞれのＣＰＵ間で必要な信号の授受が行われるようになっている。
【００３５】
マウント７０の外周側には外観筒８０が設けられており、固定筒２０及びカム環３０の一部並びにエンコーダ３３等がこの外観筒８０により覆われている。この外観筒８０は連結部材９５を介してフォーカス環９０に連結されており、さらにこのフォーカス環９０は被写体側でフィルタ枠５０に連結されている。このフォーカス環９０により、固定筒２０及びカム環３０の一部並びにアクチュエータ６０等が覆われている。
【００３６】
本実施形態におけるレンズ鏡筒２では、その先端部分に衝撃が加わった際に、固定枠４０が第１の溝４１で撓むと共に、フィルタ枠５０が第２の溝５２で撓むことで、その衝撃を緩和することができ、固定筒２０の貫通孔２１にその衝撃力が伝達するのを抑制することができる。特に、第１の溝４１により衝撃の垂直成分を吸収することができ、第２の溝５２により衝撃の水平成分を吸収することができる。
【００３７】
なお、第１の溝４１は、固定筒２０において貫通孔２１が形成されている部分と周方向において部分的に重なっていてもよく、或いは、第１の溝４１を全周に亘って形成しても良い。同様に、第２の溝５２は、固定筒２０において貫通孔２１が形成されている部分と周方向において部分的に重なってもよく、或いは、第２の溝５２を全周に亘って形成しても良い。また、上述の実施形態では、第１の溝４１及び第２の溝５２が非貫通の溝として説明したが、これらを固定枠４０及びフィルタ枠５０をそれぞれ貫通しているスリットとしても衝撃緩和の効果を奏する。
【００３８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３９】
上述の実施形態では、一眼レフデジタルカメラの交換レンズに本発明を適用した例について説明したが、本発明においては特に限定されず、銀塩フィルムを用いた一眼レフカメラやビデオカメラその他の光学機器のレンズ鏡筒に本発明を適用しても良い。
【図面の簡単な説明】
【００４０】
【図１】図１は、本発明の実施形態に係るレンズ鏡筒を示す断面図である。
【図２】図２は、本発明の実施形態に係るレンズ鏡筒のカム環の展開図である。
【図３】図３は、図１のIII部の拡大断面図である。
【図４】図４は、本発明の実施形態に係るレンズ鏡筒のフィルタ枠、固定枠及びカム環の概略展開図である。
【符号の説明】
【００４１】
１…カメラボディ
２…レンズ鏡筒
１１〜１４…第１〜第４のレンズ群
２０…固定筒
２１…貫通孔
３０…カム環
４０…固定枠
４１…第１の溝
５０…フィルタ枠
５２…第２の溝
６０…アクチュエータ
６１…フォーカス駆動ピン
７０…マウント
８０…外観筒
９０…フォーカス環
【図１】
2008298915.tif 000003
【図２】
2008298915.tif 000004
【図３】
2008298915.tif 000005
【図４】
2008298915.tif 000006